(57)【要約】【課題】  プール底面のガラス片や金属片、土砂などの異物の除去と清掃を配慮した底面清掃機能付きプールを提供する。【解決手段】  プール１の底壁３の床面全体を覆うようにシート体５を設け、側壁２からデッキ床下トレンチ６の位置に、駆動機７、ローラー８、捕集機９などからなる移動機構を設け、上記シート体５をプール床面に沿って移動させることにより、シート体５の上面に介在するガラス片や樹脂片、金属片、小石、土砂などの異物１７を捕集するように形成したことを特徴とする。【選択図】  図１
2015067991.tif 000002
【特許請求の範囲】
【請求項１】
プール底壁の床面全体を覆うようにシート体を設け、プール側壁からデッキ床下トレンチの位置に、駆動機、ローラー、捕集機などからなる移動機構を設け、上記シート体をプール床面に沿って移動させることにより、シート体上面に介在するガラス片や樹脂片、金属片、小石、土砂などの異物を捕集するように形成したことを特徴とする底面清掃機能付きプール。
【請求項２】
プール底面の一辺幅にわたるブラッシ、スクレーパー、粘着テープ、配管ノズル、牽引装置などからなる走行清掃機をプール側壁からデッキ床下トレンチの位置に収容し、上記走行清掃機をプール底面に沿って移動させることによって、底面上に介在するガラス片や樹脂片、金属片、小石、土砂などの異物を捕集するように形成したことを特徴とする底面清掃機能付きプール。
【発明の詳細な説明】
【技術分野】
【０００１】
この発明は、プールの底面にガラス片や金属片、土砂などの異物が残存することがないようにする底面清掃機能付きプールに関するものである。
【背景技術】
【０００２】
水泳用プールには屋外設置や室内設置のタイプがあり、いずれも、汚れや塵芥などに対しては、手作業や掃除機などによって清掃、クリーニングが行われている。
【０００３】
特許文献１の特開平０８−１１４０４０号公報「水泳プール」の発明には、プール底部の表面上に基板と緩衝材を設け、この緩衝材を軟質合成樹脂材料から成る保護皮膜で覆った緩衝パネルを設けた構成が開示されている。
【０００４】
特許文献２の特開平０９−３１７２２４号公報「水泳プール」の発明には、プール底面に緩衝材が敷設され、この緩衝材の上にタイル調シートが貼付された構成が開示されている。
【０００５】
特許文献３の特開２０００−８３８７０号公報「水中掃除機」の発明には、水中ポンプとコントロールボックスとをプールの外に設置したまま、掃除機本体をプールの底に沈めた状態で前進、後進、右折や左折させて掃除する構成が開示されている。
【先行技術文献】
【特許文献】
【０００６】
【特許文献１】特開平０８−１１４０４０号公報
【特許文献２】特開平０９−３１７２２４号公報
【特許文献３】特開２０００−８３８７０号公報
【発明の概要】
【発明が解決しようとする課題】
【０００７】
屋外設置や室内設置の水泳用プールに、固形の異物やガラス片などが不注意で入ったり、故意に投げ込まれる心配があり、発見が遅れたり見逃されたりした場合や、清掃が不十分な場合には遊泳者の手足に怪我などの危害を及ぼすことがあった。
特に、肉眼による水中の割れたガラス片や樹脂片等の透明で鋭利な異物は、発見し除去することが困難であり、そのためにプール水を全て抜いて清掃することも必要となった。
【０００８】
特許文献１の「水泳プール」の発明は、プール底部に緩衝パネルを設けて、利用者の安全性を向上させるとともに、着脱も向上させたプールであるが、プール底面上の異物除去や底面の清掃を配慮したものではない。
【０００９】
特許文献２の「水泳プール」の発明は、プール底面に緩衝材とその上にタイル調シートが貼付され、衝撃吸収と衝撃緩和、滑り防止が図られているが、プール底面の異物除去や清掃を配慮したものではない。
【００１０】
特許文献３の「水中掃除機」の発明は、掃除機本体をプールの底に沈めた状態で前進、後進、右折や左折させて掃除することができるが、面積の広いプール底面の異物除去や清掃に多大な手間を要するものである。
【００１１】
この発明は、上述のような従来技術が有する問題点に鑑みてなされたもので、目的とするところは、プール底面のガラス片や金属片、土砂などの異物の除去と清掃を配慮した底面清掃機能付きプールを提供することにある。
【課題を解決するための手段】
【００１２】
請求項１の発明に係る底面清掃機能付きプールは、
プール底壁の床面全体を覆うようにシート体を設け、プール側壁からデッキ床下トレンチの位置に、駆動機、ローラー、捕集機などからなる移動機構を設け、上記シート体をプール床面に沿って移動させることにより、シート体上面に介在するガラス片や樹脂片、金属片、小石、土砂などの異物を捕集するように形成したことを特徴とする。
【００１３】
請求項２の発明に係る底面清掃機能付きプールは、
プール底面の一辺幅にわたるブラッシ、スクレーパー、粘着テープ、配管ノズル、牽引装置などからなる走行清掃機をプール側壁からデッキ床下トレンチの位置に収容し、上記走行清掃機をプール底面に沿って移動させることによって、底面上に介在するガラス片や樹脂片、金属片、小石、土砂などの異物を捕集するように形成したことを特徴とする。
【発明の効果】
【００１４】
請求項１の発明に係る底面清掃機能付きプールは、
プール底壁の床面全体を覆うようにシート体を設け、プール側壁からデッキ床下トレンチの位置に、駆動機、ローラー、捕集機などからなる移動機構を設け、上記シート体をプール床面に沿って移動させることにより、シート体上面に介在するガラス片や樹脂片、金属片、小石、土砂などの異物を捕集するように形成したので、
プール内の異物をシート体に付着させて、シート体全体を移動して回収し、見逃したり取り残したりすることなく一括して確実に除去することができる。
【００１５】
請求項２の発明に係る底面清掃機能付きプールは、
プール底面の一辺幅にわたるブラッシ、スクレーパー、粘着テープ、給排水管ノズル、牽引装置などからなる走行清掃機をプール側壁からデッキ床下トレンチの位置に収容し、上記走行清掃機をプール底面に沿って移動させることによって、底面上に介在するガラス片や樹脂片、金属片、小石、土砂などの異物を捕集するように形成したので、
プール内の異物をプール底面の一辺幅にわたって、作業性良く捕集し、見逃したり取り残したりすることなく確実に除去することができるとともに、表面の汚れまで取り除くことも可能である。
【図面の簡単な説明】
【００１６】
【図１】本発明に係る底面清掃機能付きプールの第１の実施形態例を示す正面説明図である。
【図２】図１のＡ部を拡大して示す斜視説明図である。
【図３】本発明に係る底面清掃機能付きプールの第２の実施形態例を示す正面説明図である。
【図４】図３のＢ部を拡大して示す斜視説明図である。
【図５】本発明に係る底面清掃機能付きプールの第３の実施形態例を示す正面説明図である。
【図６】図５の走行清掃機の第一事例を示す斜視図である。
【図７】図５の走行清掃機の第二事例を示す斜視図である。
【図８】図５の走行清掃機の第三事例を示す斜視説明図である。
【発明を実施するための形態】
【００１７】
本発明に係る底面清掃機能付きプールの実施形態例について図１から図８に基づいて説明する。本発明は下記の実施形態にのみ限定されるものではない。本発明の要旨を逸脱しない範囲で下記の実施形態に変更（例えば構成要素の省略または付加、構成要素の形状の変更等）を加えることが出来るのはもちろんである。なお、図は概略を示すもので、一部のみを描き詳細構造は省略した。
【００１８】
図１は、本発明に係る底面清掃機能付きプールの第１の実施形態例を示す。
１は水泳用のプールで、２はプールの側壁、３は底壁である。
４は床板で、プール底壁３の上方に設置する。シート体５は、床板４の上面と下面の全体を覆ってローラー８で回動させるように展設する。
７は駆動機、９は捕集機で、プール側壁２の外側からデッキ床下トレンチ６の位置に収容する。
【００１９】
デッキ床下トレンチ６内の駆動機７とローラー８からなる移動機構を稼動させ、シート体５をプール床板４に沿って移動させることにより、シート体５の上面に介在するガラス片や樹脂片、金属片、小石、土砂などの異物を捕集機９によって捕集し除去する。
【００２０】
図２は図１のＡ部を拡大して示す。
プール底壁３の上方に設置する床板４は、緩衝性や弾力性を有し、厚く耐久強度を有する部材で形成する。
シート体５は、駆動機７とローラー８によって回動し、床板４の上面と下面の全体を覆って摩擦抵抗が小さく滑らかに移動するように展設する。
このシート体５は、異物を付着させ捕集しやすいメッシュ構造体やマット構造体として、遊泳者が歩行時に滑り難く、清潔で美観に優れたものを採用する。
プール側壁２の外側からデッキ床下トレンチ６の位置に収容する捕集機９は、スクレーパーや吸引ろ過器などからなり、ローラー８近傍に移動してきたメッシュ構造体やマット構造体のシート体５に付着している異物を一括して確実に掻き取って捕集しシート体５から除去するように形成する。
【００２１】
図３は、本発明に係る底面清掃機能付きプールの第２の実施形態例を示す。
１は水泳用のプールで、２はプールの側壁、３は底壁である。
シート体５は、底壁３の床面の全体を覆ってローラー８で巻き取るように展設する。
７は駆動機、９は捕集機で、プール側壁２の外側からデッキ床下トレンチ６の位置に収容する。
図示例は、駆動機７とローラー８と捕集機９を、プール側壁２の両外側デッキ床下のトレンチ６内に設け、シート体５を往復させて両方のローラー８へ交互に巻き取るように形成した場合を示す
デッキ床下トレンチ６内の駆動機７とローラー８からなる移動機構を稼動させ、シート体５をプール床面に沿って移動させることにより、シート体５の上面に介在するガラス片や樹脂片、金属片、小石、土砂などの異物を捕集機９によって捕集し除去する。
【００２２】
図４は図３のＢ部を拡大して示す。
シート体５は、駆動機７とローラー８によって巻き取られ、底壁３の床面全体を覆って摩擦抵抗が小さく滑らかに移動するように展設する。
このシート体５は、異物を付着させ捕集しやすいメッシュ構造体やマット構造体として、遊泳者が歩行時に滑り難く、清潔で美観に優れたものを採用する。
プール側壁２の外側からデッキ床下トレンチ６の位置に収容する捕集機９は、スクレーパーや吸引ろ過器などからなり、ローラー８近傍に移動してきたメッシュ構造体やマット構造体のシート体５に付着している異物を確実に掻き取って捕集しシート体５から除去するように形成する。
【００２３】
図５は、本発明に係る底面清掃機能付きプールの第３の実施形態例を示す。
１は水泳用のプール、２はプールの側壁、１３はプールの底面である。
１０は走行清掃機で、プール１底面１３の一辺幅にわたって、ブラッシ、スクレーパー、粘着テープ、給排水管ノズルなどの機器を組合せて構成し、プール側壁２の出入扉１２からデッキ床下トレンチ６の位置に収容しておく。この走行清掃機１０を牽引装置１１によってプール底面１３に沿って平行移動させ、底面１３の上に介在するガラス片や樹脂片、金属片、小石、土砂などの異物を捕集し除去する。
【００２４】
走行清掃機１０を、牽引装置１１によってプール底面１３に沿って平行移動させ、底面１３の上に介在するガラス片や樹脂片、金属片などの異物を捕集し除去するように形成したので、プール底面１３の一辺幅にわたって、作業性良く捕集し、見逃したり取り残したりすることなく確実に除去することができる。
【００２５】
図６は、図５の走行清掃機の第一事例を示す斜視図である。
１３はプールの底面、１７は異物を示す。
走行清掃機１０は、走行をガイドするローラー１４と、異物を寄せ集めるスクレーパー１５と、異物を掻き取るブラッシ１６と、牽引装置１１とで形成する。
上記スクレーパー１５で寄せ集めた異物は、別途排出除去する。
【００２６】
図７は、図５の走行清掃機の第二事例を示す斜視図である。
１３はプールの底面、１７は異物を示す。
走行清掃機１０は、異物を付着させる水中対応の粘着テープ１８と、巻付ローラー１９と、支軸体２０と、牽引装置１１とで形成する。
上記粘着テープ１８に付着させた異物は、テープ１８を剥がし破って一緒に廃棄する。
【００２７】
図８は、図５の走行清掃機の第三事例を示す斜視説明図である。
１３はプールの底面、１７は異物を示す。
走行清掃機１０は、走行をガイドするローラー２１と、覆い込むカバー２２と、吐出水で異物を浮かせる吐出配管ノズル２３と、吸い込みで異物を排出する吸引配管ノズル２４と、牽引装置１１とで形成する。
なお、吸い込みが困難な大きな異物は、上記カバー２２の裾部で集めて別途排出除去する。
【産業上の利用可能性】
【００２８】
上記底面清掃機能付きプールは、水泳用のプールの他に、塵芥など異物が混入、堆積する貯水槽や貯液槽にも適用することができる。
【符号の説明】
【００２９】
１プール    
２側壁    
３底壁    
４床板    
５シート体    
６デッキ床下トレンチ    
７駆動機    
８ローラー    
９捕集機    
１０走行清掃機      
１１牽引手段      
１２出入扉      
１３底面      
１４ローラー      
１５スクレーパー      
１６ブラッシ      
１７異物      
１８粘着テープ      
１９巻付ローラー      
２０支軸体      
２１ローラー    
２２カバー    
２３吐出配管ノズル    
２４吸引配管ノズル    
【図１】
2015067991.tif 000003
【図２】
2015067991.tif 000004
【図３】
2015067991.tif 000005
【図４】
2015067991.tif 000006
【図５】
2015067991.tif 000007
【図６】
2015067991.tif 000008
【図７】
2015067991.tif 000009
【図８】
2015067991.tif 000010